【事件の表示】
　特願２０１２−２７５１２５号「照明装置」拒絶査定不服審判事件〔平成２５年　３月２１日出願公開、特開２０１３−　５５０６８号〕について、次のとおり審決する。
【結　論】
　本件審判の請求は、成り立たない。
【理　由】
１．手続の経緯及び本願発明
　本願は、平成２２年３月２３日（以下、「遡及出願日」という。）に出願した特願２０１０−６６４５３号の一部を、平成２３年８月２５日に新たな特許出願である特願２０１１−１８３６４５号とし、さらにその一部を平成２４年１２月１７日に新たな特許出願としたものであって、平成２５年１０月９日付けで拒絶理由が通知され、同年１２月１６日に意見書及び手続補正書が提出され、平成２６年２月２７日付けで拒絶理由が通知され、同年５月７日に意見書及び手続補正書が提出されたが、同年６月２７日付けで拒絶査定がなされた。これに対して、同年９月３０日付けで拒絶査定不服審判が請求されたものである。
　そして、本願の請求項１に係る発明（以下、「本願発明」という。）は、明細書、特許請求の範囲及び図面の記載からみて、平成２６年５月７日の手続補正により補正された特許請求の範囲の請求項１に記載された事項により特定される次のとおりのものと認める。
「【請求項１】
　蛍光灯とは異なる光源であって、長尺板状の基板に複数の発光ダイオードを実装した発光部と、前記発光部を収納する直管形状の管体と、前記管体の長手方向の両端部に設けられた保持用口金と、前記保持用口金を介した経路とは異なる経路で前記発光部に点灯電力が給電されるための給電部とを備え、前記各保持用口金が直管型の蛍光灯の口金と同じ形状である前記光源と、
　前記保持用口金が装着され、既存の蛍光灯用の照明器具に用いられる既存のソケットと、
　長手方向の両端部で前記ソケットを支持するとともに前記光源に点灯電力を給電する点灯装置を収納した器具本体とを備え、
　前記保持用口金は、前記基板とは互いに電気的に絶縁され、
　前記発光部は、前記保持用口金を前記ソケットに装着した際に下方に光を照射するように前記管体に収納され、
　前記点灯装置から前記光源への給電経路を前記給電部を介して確立する接続部が前記光源とは別に設けられており、
　前記接続部は、前記器具本体の前記ソケットが設けられた一面側に設けられたものであって、
　前記発光ダイオードでなる前記発光部が直管形状の前記管体に収納されて前記蛍光灯と同じ外観となる前記光源が、前記発光ダイオード用の前記点灯装置が収納された前記器具本体の前記ソケットに、前記基板とは電気的に絶縁されて前記光源の前記保持用口金に突設されたダミーピンを介して装着されるものであることを特徴とする照明装置。」
２．刊行物
（１）刊行物１
　原査定の拒絶の理由に引用された、本願の遡及出願日前に頒布された刊行物である登録実用新案第３１１９５７８号公報（以下、「刊行物１」という。）には、図面とともに次の事項が記載されている。
（ア）
「【請求項１】
　中空管体内に１個或いは１個以上の回路板を設置し、該回路板上に複数の列をなしたLEDを設置し、前記中空管体の両側に定位部を備えたコネクターを配置し、かつ該定位部は符合する現行のランプ台のジョイント孔位置内に挿入接続され定位可能としたことを特徴とするLEDランプの構造。
【請求項２】
　前記回路板上に電源コードとその末端に接続する電源ジョイントを延伸設置し、かつ該電源コードと該電源ジョイントとは、上記中空管体から露出し外部電源と電気的に接続することを特徴とする請求項１記載のLEDランプの構造。」（【実用新案登録請求の範囲】）
（イ）
「【０００１】
　本考案は、蛍光灯に代えて使用可能なLEDランプの構造に係り、LEDを備えたランプ構造を既存のランプ台上に直接挿入接続可能で、LEDを光源とするLEDランプの構造に関する。」（段落【０００１】）
（ウ）
「【０００７】
　従来のランプの多くは、光の減衰が早く、消費電力が高く、高熱を発し易く、寿命が短く、割れ易く、回収が困難などの欠点を持っている。中でも、従来の蛍光灯は、色彩演出性が低く、蒼白の灯光は人気がなく、つけたばかり或いは電流が安定しない時には点滅し易いという欠点も有する。これを解決するために装備する高周波電子式安定器は、蛍光灯の電力消費を20%下げることができるという長所を有するが、一般の節電ランプと節電灯の安定器は固定式であるため、新しいものに変えようと、該安定器をも廃棄しなければならない。しかも、蛍光灯は水銀を塗布して作られるため、廃棄後は環境に対する汚染を引起す恐れがある。
【０００８】
　本考案はこれらの事情に鑑みてなされたもので、上記問題点を解決したLEDのランプ構造を提供するものである。
【課題を解決するための手段】
【０００９】
　前記目的を達成するため本考案の一態様によるＬＥＤランプの構造は、中空管体内に１個或いは１個以上の回路板を設置し、該回路板上に複数の列をなしたLEDを設置し、前記中空管体の両側に定位部を備えたコネクターを配置し、かつ該定位部は符合する現行のランプ台のジョイント孔位置内に挿入接続され定位される。
【００１０】
　この構成で、使用特性に応じてLEDが適用する作業電圧、電流を設計し、現行の蛍光灯に取って代ることができ、現行の蛍光灯台、スタンド台、ディスプレーカウンターランプ台、自動車用ランプ台、或いは広告用看板上などに適用することができ、照射、識別、装飾、指示の効果を達成することが可能である。
【考案の効果】
【００１１】
　上記のように、本考案は、中空管体内に列を成したLEDを具える回路板を設置し、該中空管体両側にはコネクターを嵌設し、該コネクターの定位部は現行のランプ台のジョイント孔位置内に直接挿入接続することができ、LEDの特性を通して、ランプを暖める時間が不要で、反応速度が速く、コンパクトで、消費電力と環境汚染が少なく、輝度が高く、寿命も長いという特性を達成可能である。このようにして、現行の蛍光灯に大規模に取って代ることができる。さらに、現行のランプ台上に適用し、蛍光灯台、スタンド台、ディスプレーカウンターランプ台、ウォールランプ、投射灯、自動車用ランプ台、或いは広告用看板上などに適用することができ、照射、識別、装飾、指示の効果を達成する。」（段落【０００７】〜【００１１】）
（エ）
「【００１４】
　図３に示すように、本考案の実施例のランプは、中空管体１を有する。該中空管体１は、透明、半透明、局部透明、或いは各種色彩の材質により構成される。この中空管体１内には、１個或いは１個以上の回路板２を設置している。該回路板２上には、複数のLED２１を配列し、該回路板２上には電源コード２２とその末端に接続する電源ジョイント２３を延長設置し、これにより該電源ジョイント２３と外部電源が接続可能になっている。そして、外部電源と交流、直流変圧器とを接続して、前記LED２１の発光時に必要となる電力を供給するようになっている。
【００１５】
　前記中空管体１両側には、コネクター１１を配置し、該コネクター１１外側は、一般のランプ台３のジョイント孔位置３１に符合する定位部１１１を外部へと延伸している。
【００１６】
　上記部品の組立てるには、先ず前記回路板２を前記中空管体１内に設置し、該回路板２の電源コード２２を前記中空管体１外へと貫通させる。こうして前記電源ジョイント２３と外部電源とが電気的に接続し、最後に前記コネクター１１を前記中空管体１の両側に配置し、安定的に定位する。
【００１７】
　使用時には、前記中空管体１を一般のランプ台３上に定位し、前記中空管体１の両側に配置するコネクター１１の定位部１１１を該一般のランプ台３のジョイント孔位置３１内に挿入接続して定位させる。こうして、前記回路板２の電源ジョイント２３と外部電源とが接続される。前記外部電源は、使用特性に応じて前記回路板２に適用する作業電圧、電流に設計することができる。」（段落【００１４】〜【００１７】）
（オ）
「【００１８】
　これにより、現行の蛍光灯に大規模に取って代ることが可能となり、一般、すなわち現行のランプ台３を利用し、本実施例のLEDのランプ構造を実現することができる。こうして蛍光灯台、スタンド台、ディスプレーカウンターランプ台、自動車用ランプ台などに適用することができる。
【００１９】
　さらに、前記中空管体１を現行のランプ台３上に定位する時には、該中空管体１の両側のコネクター１１が定位状態であるため、使用者は前記中空管体１を360度回転させ(図２参照)、LED２１の最良の照射角度を調整することができる。」（段落【００１８】〜【００１９】）
（カ）
　【図１】から、中空管体１とコネクター１１とからなるＬＥＤランプの外観は、既存の蛍光灯と同じことが看取しうる。
（キ）
　【図３】から、回路板２は長尺状であり中空管体１の軸方向に沿って配置されていること、及び、ランプ台３にジョイント孔位置３１を有したソケットが立設していることが看取しうる。
　上記（オ）、（カ）の記載から、中空管体１等からなるＬＥＤランプは、現行のランプ台３に取り付けられることで照明装置を構成しているといえるので、上記各記載事項及び【図１】〜【図３】の開示内容からみて、刊行物１には次の発明（以下、「引用発明」という。）が記載されていると認められる。
〔引用発明〕
「中空管体１内に軸方向に沿って長尺状の１個或いは１個以上の回路板２を設置し、該回路板２上に複数の列をなしたＬＥＤ２１を設置し、前記中空管体１の両側に定位部１１１を備えたコネクター１１を配置し、かつ該定位部１１１は符合する現行のランプ台３に立設したソケットのジョイント孔位置３１内に挿入接続され定位可能とし、
　前記回路板２上に電源コード２２とその末端に接続する電源ジョイント２３を延伸設置し、かつ該電源コード２２と該電源ジョイント２３とは、上記中空管体１から露出し外部電源と電気的に接続する、既存の蛍光灯と同じ外観のＬＥＤランプと、
　前記ＬＥＤランプと前記現行のランプ台とからなる照明装置。」
（２）刊行物２
　原査定の拒絶の理由に引用された、本願の遡及出願日前に頒布された刊行物である特開２００９−２３１０１６号公報（以下、「刊行物２」という。）には、図面とともに次の事項が記載されている。
（ク）
「【０００１】
  本発明は、ＬＥＤ（発光ダイオード）を用いた照明ユニット（以下、ＬＥＤ照明ユニットと記す）、ＬＥＤ照明装置およびＬＥＤ照明ユニット接続用コネクタに係り、特にそれらの構造、ＬＥＤ照明ユニットのＬＥＤ回路の接続とそのパターン配線に関する。」（段落【０００１】）
（ケ）
「【００２８】
  ＜第１の実施形態＞
  図１は、本発明に係るＬＥＤ照明ユニットおよびそれを用いたＬＥＤ照明装置の第１の実施形態について、一部切り欠いた状態の構成を示す斜視図である。図２は、図１中のＬＥＤ照明ユニットの１個分を取り出し、一部切り欠いた状態の構成を示す分解斜視図である。図３は、図１中のＬＥＤ照明ユニット側コネクタと電源側コネクタの部分を取り出し、縦断面構造を示す断面図である。図４は、図１中のＬＥＤ照明ユニット側コネクタと電源側コネクタの結合構造の一例を示す斜視図である。図５は、本発明の第１の実施形態について外観の一例を示す斜視図である。図６は、図２中のＬＥＤ回路およびＬＥＤ照明ユニット側コネクタとの接続関係の一例を示す等価回路図である。
【００２９】
  本実施形態のＬＥＤ照明装置は、ＬＥＤ回路を有する複数のＬＥＤ照明ユニット１０と、このＬＥＤ照明ユニットを支持する支持体（筐体）２０と、ＬＥＤ照明ユニットのＬＥＤ回路にＬＥＤ駆動電流を供給するＤＣ電源３０と、を具備する。上記ＤＣ電源３０は、商用交流電源からＤＣ電圧を生成するＡＣ−ＤＣ電源を用いることができる。筐体２０は、ＬＥＤ照明ユニット１０にＤＣ電圧・電流を供給するための第２のコネクタ（電源側コネクタ）３１と、ＡＣ−ＤＣ電源３０を格納する電源格納部３２を具備する。」（段落【００２８】〜【００２９】）
（コ）
「【００３１】
  （ＬＥＤ照明ユニット）  ＬＥＤ照明ユニット１０は、ＬＥＤ実装用の基板１１と、この基板の上面にライン状に配列されて実装された複数のＬＥＤ１２と、基板上に形成されたパターン配線１３と、このパターン配線により複数のＬＥＤが電気的に（直列に）接続されたＬＥＤ回路と、基板の下面（裏面）側で長手方向中央部に配設された電源接続用の第１のコネクタ（ＬＥＤユニット側コネクタ）１４と、このＬＥＤユニット側コネクタを避けて基板の下面（裏面）側に取り付けられて放熱を行うための放熱板１５と、ＬＥＤに直接触れられないようにＬＥＤを覆うように基板の上面側に配設された透光性を有するカバー１６と、を有する。」（段落【００３１】）
（サ）
「【００４１】
  （ＬＥＤ照明ユニット側コネクタ）  ＬＥＤ照明ユニット側コネクタ１４は、ＬＥＤ照明ユニット１０の中央に配置する。これは、ＬＥＤ照明ユニットが左右反転した状態でも装着可能とするように、位置の対称性を維持するためである。
【００４２】
  ＬＥＤ照明ユニット側コネクタ１４は、電源側コネクタ３１に合わせたピン配置で複数の接続端子（本例では３本の接続ピン１４１，１４２，１４３）を有し、各接続ピンの一端部は基板の裏面側から上面側へ貫通し、前記パターン配線１３を介してＬＥＤ回路に接続されている。この３本の接続ピン１４１，１４２，１４３は、例えば図６に示すように、それぞれに対応して割当てられるＬＥＤ回路供給電圧の極性関係がＬＥＤ照明ユニットの長手方向中心に対して点対称となるように配列されている。これにより、ＬＥＤ照明ユニット側コネクタ１４の左右の向き、つまり、ＬＥＤ照明ユニットの左右の向きに関係なく、このコネクタ  に結合（嵌合）するための電源側コネクタ３１からＬＥＤ照明ユニット側コネクタの接続ピンを介してＬＥＤ回路にＬＥＤ駆動電流を供給し、ＬＥＤ回路を点灯駆動することが可能である。なお、ＬＥＤ照明ユニットは、上記２つのコネクタの結合によりＬＥＤ照明装置への組み込み（取り付け）が行われる。」（段落【００４１】〜【００４２】）
（シ）
「【００４５】
  （電源側コネクタ）  電源側コネクタ３１は、筐体２０に固定されており、電源格納部空間側に突出した（図示せず）接続ピンに対してＡＣ−ＤＣ電源３０から引き出された電源ケーブル（図示せず）が接続される。電源側コネクタ３１の接続ピンの配置は、一列のみならず二列、三列でもよく、左右対称に配置している。例えば一列に配置している場合、列方向における１番目の接続ピンがＤＣ電源のプラス側電極、２番目の接続ピンがＤＣ電源のマイナス側電極、３番番目の接続ピンがＤＣ電源のプラス側電極プラスのように、左右対称となる配置にする。あるいは、１番目の接続ピンがＤＣ電源のマイナス側電極、２番目の接続ピンがＤＣ電源のプラス側電極、３番目の接続ピンがＤＣ電源のマイナス側電極のように、左右対称となる配置にする。なお、電源側コネクタ３１の接続ピンの数は偶数でも奇数でもよい。
【００４６】
  電源側コネクタ３１のＬＥＤ照明ユニット側には、ＬＥＤ照明ユニット側コネクタ１４に勘合自在なソケット部が配置されている。このソケット部は、ＬＥＤ照明ユニット側コネクタ１４が左右の別なく勘合できるように対称性を有するように構成されている。」（段落【００４５】〜【００４６】）
（３）刊行物３
　原査定の拒絶の理由に引用された、本願の遡及出願日前に頒布された刊行物である特開２００４−３０３６１４号公報（以下、「刊行物３」という。）には、図面とともに次の事項が記載されている。
（ス）
「【０００１】
【発明の属する技術分野】
本発明は、発光ダイオード（ＬＥＤ）を光源とするランプであって、既製の蛍光灯照明器具にその蛍光灯（管）に代えて取り付けて使用することが可能な蛍光灯型ＬＥＤランプに関するものである。」（段落【０００１】）
（セ）
「【００２０】
【発明の実施の形態】
［実施の形態１］
図１〜図３本発明の実施の形態１に係る蛍光灯型ＬＥＤランプを示すものであり、図１はその斜視図、図２はその分解斜視図、図３はその使用に際しての取付け状態または取り外し状態の１例を示す断面説明図である。
【００２１】
蛍光灯型ＬＥＤランプ１Ａは、複数の発光ダイオード２がかまぼこ形状に似た細長い外観形状からなる外装材３にその湾曲面３ａから突出したような状態で取り付けられているとともに、その外装材３の長手方向の両端部に既製の防犯灯等のような蛍光灯照明器具８のソケット９の差込孔に嵌め入れるための装着ピン５が２本突出した状態で形成されているものである。また、このＬＥＤランプ１Ａは、その蛍光灯照明器具８に使用されている一般の商用電源（例えばＡＣ１００Ｖ）から電気コード７を用いて取り入れる電力を各発光ダイオード２が点灯する電圧電流に調整してその各発光ダイオード２に供給する点灯回路６を備えたものである（図１２参照）。
【００２２】
発光ダイオード２は、発光ダイオードチップがカプセル状の集光レンズ体の中に収納され、その集光レンズ体の外部に２本の端子（足、リード線）２ｘが突出形成された形態からなるものである。この発光ダイオード２としては白色光用のものが使用される。また、この発光ダイオード２は、長方形の平面板からなる基板（例えば、ベークライト等の絶縁板に１ｍｍ程度の孔が規則正しく多数形成され、その孔を中心に銅箔等のランドが形成されたものなど）２０にその足２ｘにより起立（当初は直立）させた状態で取り付けられている（図２、図９〜１０参照）。」（段落【００２０】〜【００２２】）
（ソ）
「【００３１】
側面キャップ体５１、５２は、外装本体３０に背面カバー体３５を取り付けたときにその長手方向の両端部に形成される開口空間部に嵌め込むタイプのものであり、その開口空間部に相応した外観形状からなる構造体として形成されている。また、このキャップ体５１、５２は、その取付け時において外部側に位置する面の所定箇所に２つの装着ピン５が設けられている。この装着ピン５は、ＬＥＤランプ１Ａを使用する蛍光灯照明器具８のソケット９における差込孔９ａに嵌め入れることが可能な形状となるように形成されている。このような側面キャップ体５１、５２は、例えばプラスチック、硬質ゴム等の電気絶縁性を有する材料を用いて作製することができる。また、装着ピン５は、金属、硬質プラスチック等を用いて作製することができ、例えばキャップ体５１、５２に固定する。この装着ピン５は、キャップ体５１、５２が電気絶縁性を有する材料で形成されていない場合は、装着ピンそのものを絶縁性を有する材料で形成するかあるいは装着ピンとキャップ体５１等との間を電気絶縁性処理を施すようにする。」（段落【００３１】）
（タ）
「【００３４】
電気コード７は、図２に示すように、予めその一端部が前記基板２０に接続固定されるとともに、その他端部が蛍光灯照明器具８にある商用電源用の電気コード（電線）７とコネクタ（コンセントとプラグを含む）１１を介して接離可能に接続されるタイプのもの（当初からＬＥＤランプ１と一体のもの）が使用される。なお、この他にも、電気コード７は、その一端部が蛍光灯照明器具８にある商用電源の供給終端部で接続固定されているとともに、その他端部が基板２０においてコネクタ等を介して接離可能に接続されるタイプのもの（当初はＬＥＤランプ１と別体のもの）であってもよい。
【００３５】
蛍光灯型ＬＥＤランプ１Ａを使用する蛍光灯照明器具８は、図３等に示すように、蛍光灯を取り付けるためのソケット９などが形成された器具本体８０と、その器具本体８０に着脱可能（開閉可能）に取り付けられる光透過性カバー（拡散レンズ面付きのもの等を含む）８１と、蛍光灯照明器具８の設置対象物（例えば柱、壁など）に取り付ける際に支持する、器具本体８０に固定された取付け支持アーム８２とを備えている。支持アーム８２の先には、図示しない取付け用金具などが装着されている。そして、この蛍光灯照明器具８に当初から設けられている蛍光灯点灯用のための電気部品、電子部品等は、取り外すことなくそのままにしておけばよい。ただし、ソケット９に供給される電圧電流については、不要であるため遮断処理（接続コード等の切断処理）しておくことが好ましい。」（段落【００３４】〜【００３５】）
（チ）
「【００４７】
そして、このように組み立てられた蛍光灯型ＬＥＤランプ１Ａは、図２に示すような既製の蛍光灯照明器具８に取り付けられて使用される。
【００４８】
その取付けに際しては、図２に示すように、既製の蛍光灯照明器具８におけるソケット９の差込孔９ａに、ＬＥＤランプ１Ａの側面キャップ体５１、５２の装着ピンを嵌め入れることで取り付けることができる。また、この取付け時には、ＬＥＤランプ１Ａの電気コード７を蛍光灯照明器具８に設けたコネクタ１１に接続する作業を行う。これにより、図１４に示すようにＬＥＤランプ１Ａは既製の蛍光灯照明器具８に取り付けられる。このＬＥＤランプ１Ａの取付け後に、光透過性カバー８１を器具本体８０の取付け部位に取り付ける。
【００４９】
既製の蛍光灯照明器具８に取り付けられた蛍光灯型ＬＥＤランプ１Ａは、その照明器具８に商用電源から点灯時の電力が供給されると、その電力が電気コード７を介してＬＥＤランプ１Ａの点灯回路６に取り入れられることにより、複数の発光ダイオード２が一斉に点灯する。これにより、発光ダイオード２から発せられた白色光が照明器具８の光透過性カバー８１を通して外部に放射され、これにより光透過性カバー８１のある側を照明することになる。」（段落【００４７】〜【００４９】）
（ツ）
　【図３】から、既存の蛍光灯照明器具８に設けたコネクタ１１は、ソケット９と同じ面に設けられていることが看取しうる。
４．対比・判断
　本願発明と引用発明とを対比すると、後者の「長尺状の１個或いは１個以上の回路板２」、「ＬＥＤ２１」は、前者の「長尺板状の基板」、「発光ダイオード」にそれぞれ相当し、後者の「回路板２上に複数の列をなしたＬＥＤ２１を設置し」たものは、前者の「長尺板状の基板に複数の発光ダイオードを実装した発光部」を構成しているといえる。
　後者の、内部に回路板２を設置した「中空管体１」は、前者の「発光部を収納する直管形状の管体」に相当する。
　後者の「中空管体１の両側に定位部１１１を備えたコネクター１１」は、前者の「管体の長手方向の両端部に設けられた保持用口金」に相当し、後者は「現行の蛍光灯に大規模に取って代ることが可能となり、一般、すなわち現行のランプ台３を利用」するものであるので（上記２．（１）（オ）の段落【００１８】を参照）、そのコネクター１１の形状は、前者の「保持用口金が直管型の蛍光灯の口金と同じ形状」であるといえる。
　後者の「回路板２上に」「延伸設置し」た「電源コード２２とその末端に接続する電源ジョイント２３」は、「中空管体１から露出し外部電源と電気的に接続する」ものであるので、前者の「保持用口金を介した経路とは異なる経路で発光部に点灯電力が給電されるための給電部」に相当する。
　後者の、回路板２、ＬＥＤ２１、中空管体１、コネクター１１、電源コード２２、電源ジョイント２３からなる「ＬＥＤランプ」は、前者の「蛍光灯とは異なる光源」に相当する。
　後者のコネクター１１の定位部１１１が挿入接続される現行のランプ台３に立設した「ソケット」は、前者の既存の蛍光灯用の照明器具に用いられる「既存のソケット」に相当し、後者のソケットを立設した「現行のランプ台３」は、前者の「長手方向の両端部でソケットを支持するとともに光源に点灯電力を給電する点灯装置を収納した器具本体」と、「長手方向の両端部でソケットを支持する器具本体」である限りにおいて一致する。
　上述のとおり、後者の回路板２への給電は電源コード２２、電源ジョイントを介して行うものであり、コネクター１１及び定位部１１１から回路板に給電されるものではないので、後者の「コネクター１１」は、前者の「保持用口金は、基板とは互いに電気的に絶縁され」との構成を有し、後者の「定位部１１１」は、前者の「基板とは電気的に絶縁されて光源の保持用口金に突設されたダミーピン」に相当する。
　後者の「既存の蛍光灯と同じ外観のＬＥＤランプ」は、前者の「発光ダイオードでなる発光部が直管形状の管体に収納されて蛍光灯と同じ外観となる光源」に相当する。
　後者のＬＥＤランプのコネクター１１に配置した定位部１１１を「符合する現行のランプ台３に立設したソケットのジョイント孔位置３１内に挿入接続され定位」する構成は、前者の「光源が、発光ダイオード用の点灯装置が収納された器具本体のソケットに、基板とは電気的に絶縁されて光源の保持用口金に突設されたダミーピンを介して装着されるものである」ことと、「光源が、器具本体のソケットに、基板とは電気的に絶縁されて光源の保持用口金に突設されたダミーピンを介して装着されるものである」限りにおいて一致する。
　後者の「ＬＥＤランプと現行のランプ台３とからなる照明装置」は、前者の「照明装置」に相当する。
　そうしてみると、両者の一致点、相違点は以下のとおりである。
〔一致点〕
「蛍光灯とは異なる光源であって、長尺板状の基板に複数の発光ダイオードを実装した発光部と、前記発光部を収納する直管形状の管体と、前記管体の長手方向の両端部に設けられた保持用口金と、前記保持用口金を介した経路とは異なる経路で前記発光部に点灯電力が給電されるための給電部とを備え、前記各保持用口金が直管型の蛍光灯の口金と同じ形状である前記光源と、
　前記保持用口金が装着され、既存の蛍光灯用の照明器具に用いられる既存のソケットと、
　長手方向の両端部で前記ソケットを支持する器具本体とを備え、
　前記保持用口金は、前記基板とは互いに電気的に絶縁され、
　前記発光ダイオードでなる前記発光部が直管形状の前記管体に収納されて前記蛍光灯と同じ外観となる前記光源が、前記器具本体の前記ソケットに、前記基板とは電気的に絶縁されて前記光源の前記保持用口金に突設されたダミーピンを介して装着されるものである照明装置。」
〔相違点１〕
　本願発明は、器具本体が「光源に点灯電力を給電する点灯装置を収納した」ものであり「発光ダイオード用の前記点灯装置が収納された」ものであり、「点灯装置から光源への給電経路を給電部を介して確立する接続部が光源とは別に設けられており、接続部は、器具本体のソケットが設けられた一面側に設けられたものであ」るのに対して、引用発明は、ランプ台３が点灯装置を収納しているのか特定されておらず、電源ジョイント２３の接続箇所についても特定されていない点。
〔相違点２〕
　本願発明は、「発光部は、保持用口金をソケットに装着した際に下方に光を照射するように管体に収納され」ているのに対して、引用発明は、照射方向について特定されていない点。
　上記各相違点について以下検討する。
〔相違点１について〕
　刊行物２には、ＬＥＤを用いた照明ユニット（ＬＥＤ照明ユニット）に関して、
（ａ）商用交流電源からＤＣ電圧を生成するＡＣ−ＤＣ電源３０を筐体２０の電源格納部３２に格納すること（上記２．（２）（ケ）の段落【００２９】を参照）、
（ｂ）ＬＥＤ照明ユニット１０のＬＥＤ照明ユニット側コネクタ１４と、筐体２０に固定され、ＡＣ−ＤＣ電源３０に接続された電源側コネクタ３１とを接続することで、ＬＥＤ回路を点灯駆動すること（上記２．（２）（サ）の段落【００４２】、（シ）の段落【００４５】を参照）、
が記載されている。
　刊行物３には、既存の蛍光灯に代えて取り付けて使用可能な蛍光灯型ＬＥＤランプに関して、
（ｃ）蛍光灯型ＬＥＤランプ１Ａは、既製の蛍光灯照明器具８のソケット９の差込孔に嵌め込まれるための装着ピン５が２本突出した状態で形成され、電気コード７を用いて電力を取り入れること（上記２．（３）（セ）の段落【００２１】を参照）、
（ｄ）電気コード７は、予めその一端部が、発光ダイオード２が取り付けられた基板２０に接続固定されるとともに、その他端部が蛍光灯照明器具８にあるソケット９と同じ面に設けられたコネクタ（コンセントとプラグを含む）１１と接離可能に接続されるタイプのもの（当初からＬＥＤランプ１と一体のもの）であること（上記２．（３）（タ）の段落【００３４】及び（ツ）を参照）、
（ｅ）既製の蛍光灯照明器具８のソケット９の差込孔９ａにＬＥＤランプ１Ａの側面キャップ体５１、５２の装着ピン５を嵌め入れることで取り付けた時に、蛍光灯型ＬＥＤランプ１Ａの電気コード７を蛍光灯照明器具８に設けたコネクタ１１に接続する作業を行うこと（上記２．（３）（チ）の段落【００４８】を参照）、
が記載されている。
　引用発明においては、ＬＥＤ２１が配置された回路板２に接続される電源コード２２は電源ジョイント２３を介して外部電源に接続されるものであり、当該外部電源は「使用特性に応じて前記回路板２に適用する作業電圧、電流に設計する」（上記２．（１）（エ）の段落【００１７】を参照）ものである。
　また、ＬＥＤを光源に用いた照明器具において、ＬＥＤを点灯駆動するために商用交流電圧を直流電圧に変換する電源装置が必要であることは周知の事項であり（例えば、上記（ａ）を参照）、そのような交流から直流に変換する電源部を筐体内に格納し、筐体に固定された電源側コネクタをＬＥＤ照明ユニット側コネクタと接続することで給電することは、刊行物２に記載されている（上記（ａ）、（ｂ）を参照）。
　さらに、刊行物３には、蛍光灯型ＬＥＤランプを既存の蛍光灯照明器具のソケットに取り付けた時に、蛍光灯型ＬＥＤランプに、商用交流を供給するコネクタではあるが、ソケットと同じ面、すなわち、筐体のＬＥＤランプ側の面に設けることが記載されている（上記（ｄ）を参照）。
　そうすると、引用発明の外部電源は、回路板のＬＥＤに給電するものであるので、この外部電源を、交流から直流に変換する電源部としてランプ台内に格納し、ランプ台に電源側のコネクタを形成することは、刊行物２に記載の事項に基づいて、当業者が容易に想到し得るといえ、その際、コネクタをランプ台のソケットと同じ面側に設けることは、刊行物２に記載のものにおいて、電源側コネクタがＬＥＤ照明ユニットに向けて設けられていること、及び、刊行物３に記載のものにおいて、ソケットにより蛍光灯型ＬＥＤを支持する照明器具の筐体のソケットと同じ面にコネクタを設けることに鑑みれば、当業者が適宜になし得る事項と認められる。
　したがって、引用発明を、相違点１に係る本願発明の構成とすることは、刊行物２及び３に記載の事項に基づいて当業者が容易に想到し得ることといえる。
〔相違点２について〕
　本願発明の「発光部は、保持用口金をソケットに装着した際に下方に光を照射するように管体に収納され」との事項について、その記載だけでは下方がどの方向か不明であるが、本願の明細書の段落【００１１】には「尚、以下の説明では、図１（ａ）における上下を上下方向と定めるものとする。」と記載されており、【図１】を参酌すると、ＬＥＤランプの器具本体とは反対側の方向が「下方」と解釈できるので、本願発明の上記事項は、保持用口金をソケットに装着した際に発光部が器具本体とは反対側の方向に光を照射することを特定していると認める。
　刊行物３には、【図３】の記載からみて、ＬＥＤを光源としたランプを筐体に設置した際、その光の照射方向をＬＥＤランプの筐体とは反対側の方向とすることが記載されているといえる。また、刊行物２にも、【図１】〜【図４】に記載されているコネクタとＬＥＤの配置からみて、ＬＥＤを光源としたランプを筐体に設置した際、その光の照射方向をＬＥＤランプの筐体とは反対側の方向とすることが記載されているといえる。
　引用発明において、ＬＥＤランプをソケットに装着した際の中空管体内のＬＥＤの光の照射方向は、刊行物１の段落【００１９】（上記２．（１）（オ）を参照）の「中空管体１を現行のランプ台３上に定位する時には、該中空管体１の両側のコネクター１１が定位状態であるため、使用者は前記中空管体１を360度回転させ(図２参照)、LED２１の最良の照射角度を調整することができる。」との記載によれば、３６０度のうちのいずれかの方向を選択しうるものといえるが、その内の、ランプ台とは反対の方向を選択し、相違点２に係る本願発明の構成とすることは、刊行物２及び３に記載の事項に基づいて当業者が容易に想到し得ることといえる。
　そして、本願発明の奏する作用及び効果を検討しても、引用発明、刊行物２及び３記載の事項から予測できる程度のものであって格別のものではない。
　以上のとおりであるから、本願発明は、引用発明、刊行物２及び３記載の事項に基いて当業者が容易に発明をすることができたものである。
５．むすび
　以上のとおり、本願の請求項１に係る発明（本願発明）は、引用発明、刊行物２及び３記載の事項に基いて、当業者が容易に発明をすることができたものであるから、特許法第２９条第２項の規定により特許を受けることができない。
　したがって、本願は拒絶をすべきものである。
　よって、結論のとおり審決する。